(57)【要約】【課題】液晶パネルの表示領域に輝線が発生しない液晶表示装置を提供する【解決手段】液晶表示装置１０におけるＬＥＤ４４が配される側に位置するフレーム４８の内周側から、前記ＬＥＤ４４の上方を経て液晶パネル１２と導光板３２との間の空間に延設された延設部５８と、延設部５８と導光板３２との間に設けられた遮光テープ７２とを有する。【選択図】      図２
2016014840.tif 000002
【特許請求の範囲】
【請求項１】
液晶パネルと、
前記液晶パネルの裏面側に配された光学シートと、
前記光学シートの裏面側に配された導光板と、
前記導光板の裏面側に配された反射シートと、
前記導光板の一側部に沿って配された複数のＬＥＤと、
前記導光板と前記ＬＥＤの外周に配された額縁状のフレームと、
前記ＬＥＤが配される側に位置するフレームの内周部から、前記ＬＥＤの上方を経て前記液晶パネルと前記導光板との間の空間に延設された延設部と、
前記延設部と前記導光板との間に設けられた遮光テープと、
を有する液晶表示装置。
【請求項２】
複数の前記ＬＥＤは、前記導光板の長い辺側に設けられている、
請求項１に記載の液晶表示装置。
【請求項３】
複数の前記ＬＥＤは、所定の間隙を開けて、前記導光板の一側部に沿って配され、
前記遮光テープは、前記間隙の位置に対応する前記延設部と前記導光板との間に設けられている、
請求項１に記載の液晶表示装置。
【請求項４】
前記導光板に載置される支持部が、前記延設部の裏面から突出している、
請求項１に記載の液晶表示装置。
【請求項５】
前記遮光テープが、前記フレームの内周部と前記支持部の間に設けられている、
請求項４に記載の液晶表示装置。
【請求項６】
前記遮光テープが、両面接着テープである、
請求項１に記載の液晶表示装置。
【発明の詳細な説明】
【技術分野】
【０００１】
本発明は、液晶表示装置に関するものである。
【背景技術】
【０００２】
液晶表示装置における液晶パネルの背面光源は、光学シート、導光板、反射板、複数のＬＥＤなどよりなるバックライトである。ＬＥＤは点光源であるため、液晶パネルの表示領域にＬＥＤからの輝線が発生することがある。
【先行技術文献】
【特許文献】
【０００３】
【特許文献１】特開２００６−８４７５７号公報
【発明の概要】
【発明が解決しようとする課題】
【０００４】
しかし、液晶パネルの表示領域に輝線が発生すると、画像の見栄えなどが悪化するという問題点があった。
【０００５】
そこで、本発明は上記問題点に鑑み、液晶パネルの表示領域に輝線の発生を防止する液晶表示装置を提供することを目的とする。
【課題を解決するための手段】
【０００６】
本発明は、液晶パネルと、前記液晶パネルの裏面側に配された光学シートと、前記光学シートの裏面側に配された導光板と、前記導光板の裏面側に配された反射シートと、前記導光板の一側部に沿って配された複数のＬＥＤと、前記導光板と前記ＬＥＤの外周に配された額縁状のフレームと、前記ＬＥＤが配される側に位置するフレームの内周部から、前記ＬＥＤの上方を経て前記液晶パネルと前記導光板との間の空間に延設された延設部と、前記延設部と前記導光板との間に設けられた遮光テープと、を有する液晶表示装置である。
【発明の効果】
【０００７】
本発明によれば、フレームの延設部と導光板との間に遮光テープが設けられているため、液晶パネルの表示領域に輝線が発生しない。
【図面の簡単な説明】
【０００８】
【図１】液晶表示装置を分解した状態の斜視図である。
【図２】液晶表示装置の縦断面図である。
【図３】バックライトの平面図である。
【図４】バックライトの一部拡大横断面図である。
【発明を実施するための形態】
【０００９】
以下、本発明の一実施形態の液晶表示装置１０について、図１〜図４に基づいて説明する。
【００１０】
なお、実施形態における開示はあくまで一例に過ぎず、当業者において、発明の趣旨を保っての適宜変更について容易に想到し得るものについては、当然本発明の範囲に含有されるものである。また、図面は説明をより明確にするため、実際の対応に比べ、各部の幅、厚さ、形状などについて模式的に表される場合があるが、あくまでも一例であって、本発明の解釈を限定するものではない。
【００１１】
（１）液晶表示装置１０の構成
液晶表示装置１０の構成について図１と図２に基づいて説明する。液晶表示装置１０は、液晶パネル１２、バックライト１４、ベゼルカバー１６とより構成されている。
【００１２】
液晶パネル１２は、図２に示すようにマトリックス状に画素が構成された液晶パネル１８と、アレイ基板１８と液晶層を挟んで配された対向基板２０とを有している。アレイ基板１８は対向基板２０よりも大きく形成され棚部２２が形成されている。アレイ基板１８の裏面には偏光板２４が貼り付けられ、対向基板２０の表面にも偏光板２６が貼り付けられている。棚部２２には、液晶表示装置１０を駆動するためのドライバーＩＣ２８が取り付けられ、このドライバーＩＣ２８から外方に向かってフレキシブルプリント基板３０が延設されている。
【００１３】
バックライト１４は、長方形の導光板３２の上にプリズムシート３４、拡散板などの光学シート３６，３８，４０が積層されている。また、導光板３２の裏面には反射シート４２が設けられている。
【００１４】
長方形の導光板３２の長辺側、すなわちアレイ基板１８の棚部２２側には、複数のＬＥＤ４４が所定間隔毎に配されている。このＬＥＤ４４は、導光板３２の長辺側の外方部に沿って配された長細いシート状のＬＥＤ用フレキシブルプリント基板４６上に取り付けられている。
【００１５】
導光板３２、積層された光学シート３０〜４０、ＬＥＤ４４、ＬＥＤフレキシブルプリント基板４６とが、合成樹脂よりなる額縁状のフレーム４８に収納されている。このフレーム４８は、ＬＥＤ４４側以外の３つの枠部５０の上部内側に液晶パネル１２が配置される段部５２が形成され、下部内側には導光板３２とプリズムシート３４とが配置される段部５４が形成されている。また、フレーム４８のＬＥＤ４４側の一つの枠部５６は、他の３つの枠部５０よりも平面形状が大きく形成され、かつ、枠部５６の内周部上部から板状の延設部５８が延設されている。延設部５８は、導光板３２と液晶パネル１２の裏面との間に配される。この枠部５６にも液晶パネル１２が載置されている。なお、３つの枠部５０の段部５４と、１つの枠部５６の延設部５８の上面には、液晶パネル１２を載置して固定するための額縁状の両面接着テープ６０が取り付けられている。
【００１６】
延設部５８の下方であって、枠部５６に沿ってＬＥＤ４４が配され、このＬＥＤ４４を固定するためのＬＥＤフレキシブルプリント基板４６が、導光板３２から枠部５６の縁部に両面接着テープ６２を用いて固定されている。なお、このＬＥＤフレキシブルプリント基板４６を配するために、枠部５６の内周部下部には段部６４が形成されている。
【００１７】
バックライト１４に固定された液晶パネル１２を収納するために、金属製のベゼルカバー１６がフレーム４８の下部を覆うように配されている。液晶パネル１２から延設されているフレキシブルプリント基板３０は、ベゼルカバー１６の側部で折り返され、ベゼルカバー１６の底面に配されている。また、液晶表示装置１０におけるＬＥＤ４４が設けられていない３辺にはそれぞれカバー６６が取り付けられ、液晶パネル１２の表示領域のみを露出させる。
【００１８】
（２）光漏れ防止構造
次に、複数のＬＥＤ４４から導光板３２を通って液晶パネル１２に光が漏れず、輝線が発生しない光漏れ防止構造について図２〜図４に基づいて説明する。
【００１９】
導光板３２の長辺側の縁部上部には、フレーム４８から延設された延設部５８が被さった状態で設けられている。延設部５８の裏面の端部には、導光板３２に延設部５８を載置するための支持部６８が突出している。支持部６８は、図４に示すように長辺方向に沿って帯状に設けられている。支持部６８と延設部５８の間には、凹部７０が形成される。図４に示すように、この凹部７０の裏面におけるＬＥＤ４４が配置されていない場所には、矩形状の遮光テープ７２が所定間隔毎に接着されている。遮光テープ７２の色は、フレーム４８の延設部５８と同じ色であり、例えば白色である。
【００２０】
（３）効果
本実施形態によれば、ＬＥＤ４４から照射された光は導光板３２を通ってプリズムシート３４、拡散板３６〜４０を経て液晶パネル１２に面状に入射し、画像を表示する。このとき、図２に示す矢印のように、ＬＥＤ４４から拡散板３６などに直接入射しようとする光は遮光テープ７２で反射されて光漏れが発生せず、液晶パネル１２の表示領域に輝線が発生しない。
【００２１】
また、遮光テープ７２はＬＥＤ４４と隣接するＬＥＤ４４との間に配されているため、この部分からの光漏れを防止でき、かつ、ＬＥＤ４４からの光は効率的に導光板３２に入射する。
【００２２】
（４）変更例
上記実施形態では遮光テープ７２は延設部５８の裏面にのみ接着されていたが、これに代えて遮光テープ７２を両面接着テープで形成し、延設部５８と導光板３２の両方に固定してもよい。
【００２３】
また、上記実施形態では図４に示すように、ＬＥＤ４４が配置されていない場所のみ遮光テープ７２を設けたが、これに限らず帯状の遮光テープ７２を凹部７０に貼り付けて、ＬＥＤ４４が位置する部分も遮光してもよい。
【００２４】
また、上記実施形態では延設部５８を導光板３２に載置するために支持部６８を下面から突出させたが、この支持部６８を突出させない状態でもよい。
【００２５】
また、本発明の実施形態を基にして、当業者が適宜設計変更して実施し得る全ての実施形態も、本発明の要旨を包含する限り、本発明の範囲に属する。
【００２６】
また、本発明の思想の範疇において、当業者であれば、各種の変更例及び修正例に想到し得るものであり、それら変更例及び修正例についても本発明の範囲に属するものと了解される。例えば、上記実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００２７】
また、本実施形態において述べた対応によりもたらされる他の作用効果について本明細書記載から明らかなもの、又は、当業者において時に想到し得るものについては、当然に発明によりもたらされるものと解される。
【符号の説明】
【００２８】
１０・・・液晶表示装置、１２・・・液晶パネル、１４・・・バックライト、３２・・・導光板、３４・・・プリズムシート、３６・・・拡散板、３８・・・拡散板、４０・・・拡散板、４４・・・ＬＥＤ、４８・・・フレーム、５６・・・枠部、５８・・・延設部、６８・・・支持部、７０・・・凹部、７２・・・遮光テープ
【図１】
2016014840.tif 000003
【図２】
2016014840.tif 000004
【図３】
2016014840.tif 000005
【図４】
2016014840.tif 000006